(57)【要約】【課題】  コストを抑えながら水密性の高いカーテンウォールを提供すること。【解決手段】  上下のコンクリートパネル１ａ，１ｂ間の開口部２に取付けた複数のパネルユニット３，３，…を備え、パネルユニット３は、縦枠４，５に設けた雄部６と雌部７とを嵌合して横方向に並べて配置してあり、コンクリートパネル１ａ，１ｂとパネルユニット３，３，…との間に湿式のウインドバリアシール８ａ，８ｂを有し、パネルユニット３，３同士の嵌合部９に設けたウインドバリアガスケット１０がウインドバリアシール８ａ，８ｂとシール材１１，１２で連結してある。【選択図】      図１
2018150678.tif 000002
【特許請求の範囲】
【請求項１】
上下のコンクリートパネル間の開口部に取付けた複数のパネルユニットを備え、パネルユニットは、縦枠に設けた雄部と雌部とを嵌合して横方向に並べて配置してあり、コンクリートパネルとパネルユニットとの間に湿式のウインドバリアシールを有し、パネルユニット同士の嵌合部に設けたウインドバリアガスケットがウインドバリアシールとシール材で連結してあることを特徴とするカーテンウォール。
【発明の詳細な説明】
【技術分野】
【０００１】
本発明は、カーテンウォールに関する。
【背景技術】
【０００２】
従来より、上下のコンクリートパネル間の開口部に複数のパネルユニットを並べて取付けたカーテンウォールが知られている。従来、このようなカーテンウォールは、図６に示すように、パネルユニット９０の四周に乾式ガスケット９１を設け、この乾式ガスケット９１によりコンクリートパネル９２とパネルユニット９０間の隙間をシールしているが、乾式ガスケット９１ではコンクリートパネル９２の施工誤差を吸収できず、コンクリートパネル９２とパネルユニット９０の間から雨水が浸入するおそれがあった。
【発明の概要】
【発明が解決しようとする課題】
【０００３】
本発明は以上に述べた実情に鑑み、コストを抑えながら水密性の高いカーテンウォールを提供することを目的とする。
【課題を解決するための手段】
【０００４】
上記の課題を達成するために請求項１記載の発明によるカーテンウォールは、上下のコンクリートパネル間の開口部に取付けた複数のパネルユニットを備え、パネルユニットは、縦枠に設けた雄部と雌部とを嵌合して横方向に並べて配置してあり、コンクリートパネルとパネルユニットとの間に湿式のウインドバリアシールを有し、パネルユニット同士の嵌合部に設けたウインドバリアガスケットがウインドバリアシールとシール材で連結してあることを特徴とする。
【発明の効果】
【０００５】
請求項１記載の発明によるカーテンウォールは、上下のコンクリートパネル間の開口部に複数のパネルユニットを縦枠に設けた雄部と雌部とを嵌合して横方向に並べて配置してあり、コンクリートパネルとパネルユニットとの間に湿式のウインドバリアシールを有し、パネルユニット同士の嵌合部に設けたウインドバリアガスケットがウインドバリアシールとシール材で連結してあることで、コンクリートパネルの施工誤差を湿式のウインドバリアシールで吸収することができ、また、パネルユニットの縦枠間のシール作業が不要なため、コストを抑えながら水密性の高いカーテンウォールとなる。
【図面の簡単な説明】
【０００６】
【図１】図５の上側を拡大して示す縦断面図である。
【図２】図１のＡ−Ａ断面図である。
【図３】図５の下側を拡大して示す縦断面図である。
【図４】本発明のカーテンウォールの一実施形態を示す室外側正面図である。
【図５】図４のＢ−Ｂ断面図である。
【図６】従来のカーテンウォールの例を示す縦断面図である。
【発明を実施するための形態】
【０００７】
以下、本発明の実施の形態を図面に基づいて説明する。図１〜５は、本発明のカーテンウォールの一実施形態を示している。本カーテンウォールは、図４，５に示すように、建物の一つの階ごとに、上下のコンクリートパネル１ａ，１ｂ間の開口部２に縦長のパネルユニット３，３，…を複数横並びに配置して構成してある。
【０００８】
各パネルユニット３は、図４，５に示すように、アルミ合金の押出形材よりなる上枠１３と下枠１４と左右の縦枠４，５を矩形に枠組みし、縦枠４，５間に複数の横桟１５，１５，…を上下方向に間隔をおいて架設し、上下枠１３，１４と左右の縦枠４，５と横桟１５，１５，…とで形成される各開口部にガラスパネル１９をそれぞれ取付けて構成してある。各パネルユニットは、図５に示すように、縦枠４，５の上端部と下端部をブラケット１６ａ，１６ｂとファスナ１７ａ，１７ｂにより建物の躯体１８に連結して取付けられる。
ガラスパネル１９は、図１，２に示すように、上下枠１３，１４と縦枠４，５と横桟１５にそれぞれ形成した溝２０に周縁部を呑み込み、室外側を乾式のガスケット２１で、室内側を湿式のシール材２２でそれぞれ支持して取付けてある。
【０００９】
図２に示すように、隣接する縦枠４，５のうち室外側から見て左側の縦枠４は、室内側の外周側面に一対の突条２３ａ，２３ｂよりなる雄部６を有しており、室外側から見て右側の縦枠５は、室内側の外周側面に凹溝状の雌部７を有しており、この雄部６を雌部７に挿入することで隣接するパネルユニット３，３の縦枠４，５を左右方向から嵌合させている。雌部７の室外側の壁２４には、室内側に向けてレインバリアガスケット２５が縦枠５の長手方向に沿って取付けてあり、レインバリアガスケット２５は雄部６の室外側の突条２３ａの室外側面に当接している。雌部７の室内側の壁２６には、室外側に向けてウインドバリアガスケット１０が縦枠５の長手方向に沿って取付けてあり、ウインドバリアガスケット１０は雄部６の室内側の突条２３ｂの室内側面に当接している。このように、隣接するパネルユニット３，３の縦枠４，５を雄部６と雌部７で嵌合すると共に、嵌合部９にガスケット（レインバリアガスケット２５，ウインドバリアガスケット１０）を室外側と室内側とに二重に介在させたことで、隣接するパネルユニット３，３の縦枠４，５間からの雨風の浸入を防ぐことができる。
さらに、レインバリアガスケット２５とウインドバリアガスケット１０とで仕切られた縦枠４，５間の空間２７は、下方より外気を導入して室外と等圧としてあり、これにより気流による雨水の移動を抑え、室内側に雨水がより一層浸入しにくくしてある。
【００１０】
上枠１３は、図１に示すように、上面が室外側が低い階段状に形成されており、低くなった室外側の上枠上面１３ａにはレインバリアガスケット２８が上枠１３の長手方向に沿って取付けてあり、レインバリアガスケット２８の先端部が上側のコンクリートパネル１ａの下面に当接している。室内側の一段高くなった上枠上面１３ｂとコンクリートパネル１ａの下面との隙間は、バックアップ材２９を配置した上で室内側から湿式のウインドバリアシール８ａを充填してシールしてある。バックアップ材２９及びウインドバリアシール８ａは、開口部２の間口の全長にわたって連続して設けてある。
【００１１】
隣接するパネルユニット３，３の縦枠４，５上部間の隙間には、図１，２に示すように、ウインドバリアシール８ａの下から縦枠４，５の上縁部と室内側縁部に沿うように、室内側に向けて略Ｌ字状に湿式のシール材１１を充填してあり、このシール材１１によりパネルユニット３，３，…とコンクリートパネル１ａ間の隙間に設けたウインドバリアシール８ａと、縦枠４，５の雄部６と雌部７の嵌合部９に設けたウインドバリアガスケット１０とを連結している。シール材１１は、ウインドバリアシール８ａの下から室内側にのびる部分１１ａと、その室内側端部から連続して下方にのびる部分１１ｂを有している。シール材１１ｂをウインドバリアガスケット１０と連続させるため、縦枠５の雌部７の室内側壁２６を一部切り欠いている。このように、パネルユニット３，３，…とコンクリートパネル１ａ間のウインドバリアシール８ａと縦枠４，５の嵌合部９のウインドバリアガスケット１０をシール材１１で連結したことで、隣接するパネルユニット３，３の縦枠４，５の上端部とコンクリートパネル１ａとの間からの雨水の浸入を防止できる。
【００１２】
下枠１４は、図３に示すように、室外側端部に水切り３０を有すると共に、水切り３０の室内側の下枠下面１４ａにレインバリアガスケット３１が下枠１４の長手方向に沿って取付けてあり、レインバリアガスケット３１の先端部が下側のコンクリートパネル１ｂの上面に当接している。室内側の一段高くなった下枠下面１４ｂとコンクリートパネル１ｂの上面との隙間は、バックアップ材２９を配置した上で室内側から湿式のウインドバリアシール８ｂを充填してシールしてある。バックアップ材２９及びウインドバリアシール８ｂは、開口部２の間口の全長にわたって連続して設けてある。
【００１３】
隣接するパネルユニット３，３の縦枠４，５下部間の隙間には、図３に示すように、ウインドバリアシール８ｂの上から縦枠４，５の下縁部と室内側縁部に沿うように、室内側に向けて略Ｌ字状に湿式のシール材１２を充填してあり、このシール材１２によりパネルユニット３，３，…とコンクリートパネル１ｂ間の隙間に設けたウインドバリアシール８ｂと、縦枠４，５の雄部６と雌部７の嵌合部９に設けたウインドバリアガスケット１０とを連結している。シール材１２は、ウインドバリアシール８ｂの上から室内側にのびる部分１２ａと、その室内側端部から連続して上方にのびる部分１２ｂを有している。シール材１２ｂをウインドバリアガスケット１０と連続させるため、縦枠５の雌部７の室内側壁２８を一部切り欠いている。シール材１２の上には、キャッチパン３２が設けてある。このように、パネルユニット３，３，…とコンクリートパネル１ｂ間のウインドバリアシール８ｂと縦枠４，５の嵌合部９のウインドバリアガスケット１０をシール材１２で連結したことで、隣接するパネルユニット３，３の縦枠４，５の下端部とコンクリートパネル１ｂとの間からの雨水の浸入を防止できる。
【００１４】
次に、本カーテンウォールの施工手順を説明する。まず、予め組み立てたパネルユニット３，３，…を建物の内部に搬入する。次に、建物の内部側からフォークリフト等を使用してパネルユニット３を一枚ずつ持ち上げ、上下のコンクリートパネル１ａ，１ｂ間に立たせて配置し、ブラケット１６ａ，１６ｂとファスナ１７ａ，１７ｂにより躯体１８に固定する。なお、パネルユニット３の取付けは、左右方向の一方側から順次行い、取付けるパネルユニット３を上下のコンクリートパネル１ａ，１ｂ間に配置した後、先に取付けたパネルユニット３側に横にスライドして、縦枠４，５の雄部６と雌部７を嵌合させる。その後、上下のコンクリートパネル１ａ，１ｂとパネルユニット３，３，…との間にウインドバリアシール８ａ，８ｂを室内側から打設する。その後、隣接するパネルユニット３，３の縦枠４，５同士の隙間の上部と下部にシール材１１，１２を打設し、シール材１１，１２によりウインドバリアシール８ａ，８ｂを縦枠４，５の嵌合部９のウインドバリアガスケット１０と連結する。
【００１５】
以上に述べたように本カーテンウォールは、上下のコンクリートパネル１ａ，１ｂ間の開口部２に複数のパネルユニット３，３，…を縦枠４，５に設けた雄部６と雌部７とを嵌合して横方向に並べて配置してあり、コンクリートパネル１ａ，１ｂとパネルユニット３，３，…との間に湿式のウインドバリアシール８ａ，８ｂを有し、パネルユニット３，３同士の嵌合部９に設けたウインドバリアガスケット１０がウインドバリアシール８ａ，８ｂとシール材１１，１２で連結してあることで、コンクリートパネル１ａ，１ｂの施工誤差を湿式のウインドバリアシール８ａ，８ｂで吸収することができ、また、パネルユニット３，３，…の縦枠４，５間のシール作業が不要なため、コストを抑えながら水密性の高いカーテンウォールとなる。
さらに本カーテンウォールは、縦枠４，５の雄部６と雌部７の間の空間２７に外気を導入し、室外と等圧としたので、気流による雨水の移動が抑えられ、室内側に雨水がより一層浸入しにくくなっている。また本カーテンウォールは、ガラスパネル１９の室外側をガスケット２１で支持したので、屋外側からのシール作業が不要であり、また、シールによる外壁の汚れを防止できる。本カーテンウォールは、パネルユニット３，３，…の取付けが建物内部側から行えるので、屋外に足場を設ける必要がなく、施工性が良い。
【００１６】
本発明は以上に述べた実施形態に限定されない。パネルユニットの構造、形状、材質等は、任意である。縦枠の雄部と雌部の形状は、適宜変更することができる。ウインドバリアシール、ウインドバリアガスケット、これらを連結するシール材の形状、材質等は、適宜変更することができる。
【符号の説明】
【００１７】
１ａ，１ｂ  コンクリートパネル
２  開口部
３  パネルユニット
４，５  縦枠
６  雄部
７  雌部
８ａ，８ｂ  ウインドバリアシール
９  嵌合部
１０  ウインドバリアガスケット
１１，１２  シール材
【図１】
2018150678.tif 000003
【図２】
2018150678.tif 000004
【図３】
2018150678.tif 000005
【図４】
2018150678.tif 000006
【図５】
2018150678.tif 000007
【図６】
2018150678.tif 000008